(57)【要約】【課題】処理要求部からのコマンド情報に基づいた情報処理をする際、情報の送受信回数を低減することが可能な情報処理装置、情報処理方法及びプログラムを提供すること。【解決手段】コマンド情報を受けてコマンド情報に基づいた情報処理をする情報処理部１１０と、予め情報処理部固有の識別情報と同一の照合用識別情報を記憶する記憶部１２５と、記憶部に記憶された照合用識別情報と、コマンド情報とを情報処理部に送る処理要求部１２０と、照合用識別情報と情報処理部固有の識別情報とが一致するか否かを判断する識別情報判断部１１０とを備え、情報処理部は、識別情報判断部が照合用識別情報と情報処理部固有の識別情報とが一致すると判断したとき、コマンド情報に基づいた情報処理をする。【選択図】図１
2009187495.tif 000002
【特許請求の範囲】
【請求項１】
コマンド情報を受けて前記コマンド情報に基づいた情報処理をする情報処理部と、
予め前記情報処理部固有の識別情報と同一の照合用識別情報を記憶する記憶部と、
前記記憶部に記憶された前記照合用識別情報と、前記コマンド情報とを前記情報処理部に送る処理要求部と、
前記照合用識別情報と前記情報処理部固有の識別情報とが一致するか否かを判断する識別情報判断部と、
を備え、
前記情報処理部は、前記識別情報判断部が前記照合用識別情報と前記情報処理部固有の識別情報とが一致すると判断したとき、前記コマンド情報に基づいた情報処理をする、情報処理装置。
【請求項２】
磁界信号を受信する受信部と、
前記受信部近傍における搬送波を検出する検出部と、
前記検出部において搬送波が検出されたとき、前記情報処理部の接続先を前記受信部に切り替え、前記検出部において搬送波が検出されないとき、前記情報処理部の接続先を前記処理要求部に切り替える切替部を制御する切替制御部と、
を備える、請求項１に記載の情報処理装置。
【請求項３】
予め情報処理部固有の識別情報と同一の照合用識別情報を記憶するステップと、
前記記憶された照合用識別情報と、前記コマンド情報とを前記情報処理部に送るステップと、
前記照合用識別情報と前記情報処理部固有の識別情報とが一致するか否かを判断するステップと、
前記情報処理部が、前記照合用識別情報と前記情報処理部固有の識別情報とが一致すると判断したとき、前記コマンド情報に基づいた情報処理をするステップと
を含む、情報処理方法。
【請求項４】
受信部が磁界信号を受信するステップと、
前記受信部近傍における搬送波を検出するステップと、
前記搬送波が検出されたとき、前記情報処理部の接続先を前記受信部に切り替え、前記搬送波が検出されないとき、前記情報処理部の接続先を前記処理要求部に切り替えるステップと、
を含む、請求項３に記載の情報処理方法。
【請求項５】
予め情報処理部固有の識別情報と同一の照合用識別情報を記憶する手段、
前記記憶された照合用識別情報と、前記コマンド情報とを前記情報処理部に送る手段、
前記照合用識別情報と前記情報処理部固有の識別情報とが一致するか否かを判断する手段、
前記情報処理部が、前記照合用識別情報と前記情報処理部固有の識別情報とが一致すると判断したとき、前記コマンド情報に基づいた情報処理をする手段
としてコンピュータを機能させるためのプログラム。
【発明の詳細な説明】
【技術分野】
【０００１】
本発明は、情報処理装置、情報処理方法及びプログラムに関する。
【背景技術】
【０００２】
非接触ＩＣカードは、集積回路（ＩＣチップ）とアンテナを内蔵して、他のデバイス（例えば、リーダライタ）と近距離無線通信が可能である。非接触ＩＣカードは携行可能であり、信頼性が高いため、例えばＩＤカード、クレジットカード又はポイントカードなどの認証や決済を目的として使用されるケースが多い。
【０００３】
近年では、非接触ＩＣカードの表面に表示デバイスを設けることが考えられている。表示デバイスには、ＩＣチップが保持している情報、例えば、ＩＤ情報、残高情報又は履歴情報等が表示される。これにより、カードを使用する上で利便性が向上する。例えば、特許文献１には、非接触ＩＣカードの表面に表示デバイスを設ける技術が開示されている。
【０００４】
【特許文献１】特開２００６−２０８５８２号公報
【発明の開示】
【発明が解決しようとする課題】
【０００５】
ところで、表示デバイスには、ユーザの操作に応じて任意のタイミングでＩＣチップに記録されている情報が表示される。また、非接触ＩＣカードは、ＩＣチップが保持している情報が更新されることによって、更新後の情報を表示デバイスに表示することができる。そして、表示デバイスに各種情報を表示させるためには、非接触ＩＣカード内部に電池を設ける必要がある。
【０００６】
しかしながら、サイズの大きい電池を設けるとカードとしての利便性が低減する。また、消費電力が大きいと電池の消費が早いため、カードを携行している間にカードの表示機能が使用できなくなるという問題があった。
【０００７】
また、表示デバイスの制御用ＩＣが非接触ＩＣカードにコマンドを送信するためには、リーダライタと非接触ＩＣカード間の情報の送受信と同様に、まず、表示デバイスの制御用ＩＣが非接触ＩＣカードにポーリングコマンドを送信する必要があった。そして、非接触ＩＣカードは、非接触ＩＣカード固有のＩＤを表示デバイスの制御用ＩＣに応答していた。その後、表示デバイスの制御用ＩＣは、非接触ＩＣカード固有のＩＤと共に、非接触ＩＣカードに各種コマンドを送信する。次に、非接触ＩＣカードは、自己の固有のＩＤと、表示デバイスの制御用ＩＣから受信したＩＤが一致するかを判断し、一致する場合にコマンドを実行する。
【０００８】
しかし、表示デバイスの制御用ＩＣが非接触ＩＣカードにコマンドを送信する際、毎回、表示デバイスの制御用ＩＣがポーリングコマンドの送信と、非接触ＩＣカードからの応答を受信するため、消費電力が生じるという問題があった。
【０００９】
そこで、本発明は、上記問題に鑑みてなされたものであり、本発明の目的とするところは、処理要求部からのコマンド情報に基づいた情報処理をする際、情報の送受信回数を低減することが可能な、新規かつ改良された情報処理装置、情報処理方法及びプログラムを提供することにある。
【課題を解決するための手段】
【００１０】
上記課題を解決するために、本発明のある観点によれば、コマンド情報を受けてコマンド情報に基づいた情報処理をする情報処理部と、予め情報処理部固有の識別情報と同一の照合用識別情報を記憶する記憶部と、記憶部に記憶された照合用識別情報と、コマンド情報とを情報処理部に送る処理要求部と、照合用識別情報と情報処理部固有の識別情報とが一致するか否かを判断する識別情報判断部とを備え、情報処理部は、識別情報判断部が照合用識別情報と情報処理部固有の識別情報とが一致すると判断したとき、コマンド情報に基づいた情報処理をする情報処理装置が提供される。
【００１１】
磁界信号を受信する受信部と、受信部近傍における搬送波を検出する検出部と、検出部において搬送波が検出されたとき、情報処理部の接続先を受信部に切り替え、検出部において搬送波が検出されないとき、情報処理部の接続先を処理要求部に切り替える切替部を制御する切替制御部とを備えてもよい。
【００１２】
また、上記課題を解決するために、本発明の別の観点によれば、予め情報処理部固有の識別情報と同一の照合用識別情報を記憶するステップと、記憶された照合用識別情報と、コマンド情報とを情報処理部に送るステップと、照合用識別情報と情報処理部固有の識別情報とが一致するか否かを判断するステップと、情報処理部が、照合用識別情報と情報処理部固有の識別情報とが一致すると判断したとき、コマンド情報に基づいた情報処理をするステップとを含む情報処理方法が提供される。
【００１３】
受信部が磁界信号を受信するステップと、受信部近傍における搬送波を検出するステップと、搬送波が検出されたとき、情報処理部の接続先を受信部に切り替え、搬送波が検出されないとき、情報処理部の接続先を処理要求部に切り替えるステップとを含んでもよい。
【００１４】
また、上記課題を解決するために、本発明の別の観点によれば、予め情報処理部固有の識別情報と同一の照合用識別情報を記憶する手段、記憶された照合用識別情報と、コマンド情報とを情報処理部に送る手段、照合用識別情報と情報処理部固有の識別情報とが一致するか否かを判断する手段、情報処理部が、照合用識別情報と情報処理部固有の識別情報とが一致すると判断したとき、コマンド情報に基づいた情報処理をする手段としてコンピュータを機能させるためのプログラムが提供される。
【発明の効果】
【００１５】
本発明によれば、処理要求部からのコマンド情報に基づいた情報処理をする際、情報の送受信回数を低減することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（一実施形態の構成）
まず、図１を参照して、本発明の一実施形態に係る非接触ＩＣカード１００（情報処理装置）について説明する。図１は、本実施形態に係る非接触ＩＣカード１００を示すブロック図である。
本実施形態の非接触ＩＣカード１００は、電源供給部１０２と、非接触ＩＣカード部１１０と、表示制御部１２０と、表示部１３０と、電子スイッチ１４０と、磁界センサ１４２と、ループアンテナ１４４などからなる。本実施形態では、表示制御部１２０と非接触ＩＣカード部１１０は１枚の非接触ＩＣカード１００に内蔵されており、表示制御部１２０と非接触ＩＣカード部１１０とが常に１対１で対応している。
【００１８】
非接触ＩＣカード１００は、例えば、例えばＩＤカード、クレジットカード又はポイントカードなどの認証や決済を目的として使用される。非接触ＩＣカード１００は、リーダライタ１０からデータを受けて、受信したデータを記憶する。また、非接触ＩＣカード１００は表示部１３０を備えており、記憶したデータを外部に表示することができる。非接触ＩＣカード１００が取得し表示部１３０に表示するデータは、例えば、非接触ＩＣカード１００を用いたサービスに関する情報、料金情報、ユーザ情報などである。
【００１９】
電源供給部１０２は、非接触ＩＣカード部１１０と、表示制御部１２０と、表示部１３０と、電子スイッチ１４０など非接触ＩＣカード１００に内蔵される各構成要素に電力を供給する。なお、図１を用いて示した本実施形態の非接触ＩＣカード１００は、非接触ＩＣカード部１１０に電力が供給されるとしたが、かかる例に限定されない。例えば、非接触ＩＣカード部１１０への電力供給は、リーダライタ１０から供給される信号によって行なってもよい。このとき、電源供給部１０２は、非接触ＩＣカード部１１０に電力を供給せず、表示制御部１２０と表示部１３０と電子スイッチ１４０に電力を供給する。
【００２０】
非接触ＩＣカード部１１０は、情報処理部の一例であり、非接触ＩＣカード１００としての機能を実現するための制御処理や演算処理をする。非接触ＩＣカード部１１０は、非接触ＩＣカード１００内部に半導体集積回路（ＩＣチップ）として設けられる。
【００２１】
非接触ＩＣカード部１１０は、記憶部１１２を有する。記憶部１１２は、例えば、ＥＥＰＲＯＭ（Electronically  Erasable  and  Programmable  Read  Only  Memory）である。非接触ＩＣカード部１１０は、ループアンテナ１４４で受信したリーダライタ１０から送信された信号に含まれる情報を受けて、記憶部１１２が当該情報を記憶する。
【００２２】
非接触ＩＣカード部１１０は、リーダライタ１０又は表示制御部１２０からの要求（コマンド情報）に基づいて、種々の情報処理をする。例えば、非接触ＩＣカード部１１０は、読み出し処理要求を受けた場合、記憶部１１２に記憶されている情報を読み出して、リーダライタ１０又は表示制御部１２０に当該情報を送る。また、非接触ＩＣカード部１１０は、書き込み処理要求を受けた場合、記憶部１１２にデータを書き込む。
記憶部１１２が記憶する情報は、例えば、非接触ＩＣカード１００を用いたサービスに関する情報、料金情報、ユーザ情報などである。
【００２３】
非接触ＩＣカード部１１０は、リーダライタ１０又は表示制御部１２０から要求（コマンド情報）を受ける際、照合用識別情報（ＩＤ）を同時に受ける。非接触ＩＣカード部１１０は、識別情報判断部の一例であり、リーダライタ１０又は表示制御部１２０から受けた照合用識別情報が、非接触ＩＣカード部１１０固有の識別情報と一致するか否かを判断する。非接触ＩＣカード部１１０は、照合用識別情報と非接触ＩＣカード部１１０固有の識別情報とが一致すると判断したとき、上記の要求に基づいた処理を実行する。一方、一致しないと判断したときは、上記の要求に基づいた処理は実行しない。
【００２４】
表示制御部１２０は、表示部１３０における表示を制御する。表示制御部１２０は、電子スイッチ１４０を介して、非接触ＩＣカード部１１０から記憶部１１２に記憶されている情報を取得し、その情報又はその情報に基づいて生成した情報を表示部１３０に表示させる。
【００２５】
表示制御部１２０は、磁界センサ１４２によって供給される磁界の検出結果に基づいて、電子スイッチ１４０を制御する。例えば、表示制御部１２０は、磁界センサ１４２において搬送波が検出されたとき、非接触ＩＣカード部１１０の接続先をループアンテナ１４４に切り替えるように電子スイッチ１４０を制御する。この制御によって、非接触ＩＣカード１００はリーダライタ１０と通信可能になる。一方、表示制御部１２０は、非接触ＩＣカード部１１０との接続が切断されるため、非接触ＩＣカード部１１０から情報を取得できない。
【００２６】
また、表示制御部１２０は、磁界センサ１４２において搬送波が検出されないとき、非接触ＩＣカード部１１０の接続先を表示制御部１２０に切り替えるように制御する。この制御によって、非接触ＩＣカード１００はリーダライタ１０と通信不可能になる。一方、表示制御部１２０は非接触ＩＣカード部１１０と接続されるため、非接触ＩＣカード部１１０から情報を取得することができる。表示制御部１２０は、切替制御部の一例である。
【００２７】
表示制御部１２０は記憶部１２５を有する。記憶部１２５は、例えば、ＥＥＰＲＯＭ（Electronically  Erasable  and  Programmable  Read  Only  Memory）である。表示制御部１２０は、非接触ＩＣカード部１１０から情報を受けて、記憶部１２５が情報を記憶する。これにより、表示制御部１２０は、非接触ＩＣカード部１１０から取得した情報を任意のタイミングで表示部１３０に表示させることができる。また、記憶部１２５は、予め非接触ＩＣカード部１１０の固有の識別情報と同一の照合用識別情報を有している。
【００２８】
表示部１３０は、例えば、ＬＣＤ（Liquid  Crystal  Display）、有機ＥＬディスプレイ（Organic  Electro-Luminescence  Display）などであり、文字や画像を表示可能な表示デバイスである。表示部１３０は、非接触ＩＣカード１００のカードとしての利便性を発揮する形状、大きさであるとよい。
【００２９】
電子スイッチ１４０は、切替部の一例であり、非接触ＩＣカード部１１０の信号入出力端子の接続先を切り替えるスイッチ回路である。電子スイッチ１４０は、例えば、３端子スイッチであり、非接触ＩＣカード部１１０をループアンテナ１４４又は表示制御部１２０のいずれか一方に接続する。電子スイッチ１４０は表示制御部１２０によって制御される。なお、電子スイッチ１４０の構成、規模はどんなものであってもよいが、非接触ＩＣカード１００のカードとしての利便性を発揮できるものがよりよい。
【００３０】
磁界センサ１４２は、検出部の一例であり、ループアンテナ１４４近傍に設けられ、ループアンテナ１４４近傍において発生する磁界変化を検出する。磁界センサ１４２は、検出結果を表示制御部１２０に送る。磁界センサ１４２は、リーダライタ１０から送信される磁界信号の検出を目的としており、磁界変化の検出能力はループアンテナ１４４に近似又は一致させるとよい。例えば、磁界センサ１４２は、ループアンテナ１４４と同様にコイル形状を有し、ループアンテナ１４４に対して絶縁しつつ重畳されて配置される。
【００３１】
ループアンテナ１４４は、受信部の一例であり、磁界信号を受信する。ループアンテナ１４４は、非接触ＩＣカード１００に近接されたリーダライタ１０から送信される電磁波（搬送波）によるループ内側の磁界変化を磁界信号として検出し、受信する。ループアンテナ１４４は、受信した信号を、電子スイッチ１４０を介して非接触ＩＣカード部１１０に送る。
【００３２】
次に、図２を参照して、本実施形態の表示制御部１２０について詳細に説明する。図２は、本実施形態に係る非接触ＩＣカード１００の表示制御部１２０を示すブロック図である。
表示制御部１２０は、条件判定部１２１と、電子スイッチ制御部１２２と、表示データ送受信部１２３と、記憶制御部１２４と、記憶部１２５などからなる。
【００３３】
条件判定部１２１は、磁界センサ１４２によって検出された検出結果が予め定められた所定の条件を満たすか否かを判定する。例えば、所定条件は磁界変化の検出の有無であり、磁界変化が検出された場合、条件を満たすと判定し、磁界変化が検出されない場合、条件を満たさないと判定する。
【００３４】
電子スイッチ制御部１２２は、条件判定部１２１の判定結果に応じて、電子スイッチ１４０を制御する。例えば、条件判定部１２１によって搬送波が検出されて条件を満たすと判定されたとき、非接触ＩＣカード部１１０の接続先をループアンテナ１４４に切り替えるように電子スイッチ１４０を制御する。一方、条件判定部１２１によって搬送波が検出されず条件を満たさないと判定されたとき、非接触ＩＣカード部１１０の接続先を表示制御部１２０に切り替えるように制御する。
【００３５】
表示データ送受信部１２３は、電子スイッチ１４０を介して、非接触ＩＣカード部１１０から表示用データやデータ変換情報などの情報を受け、表示部１３０に表示のための情報を送る。
【００３６】
記憶制御部１２４は、記憶部１２５にサービスに関する情報、料金情報、ユーザ情報などの情報を書き込む制御をしたり、記憶部１２５に記憶されたサービスに関する情報、料金情報、ユーザ情報などの情報を読み出したりという制御をする。
なお、上記の一連の処理は、ハードウェアで処理してもよいし、コンピュータ上のプログラムによるソフトウェア処理で実現してもよい。
【００３７】
（一実施形態の動作）
次に、図３〜図６を参照して、本実施形態に係る非接触ＩＣカード１００の動作を説明する。
【００３８】
まず、図３を参照して、電子スイッチ１４０の切り替えについて説明する。図３は、電子スイッチ１４０の切り替えを示すフローチャートである。通常、非接触ＩＣカード１００をリーダライタ１０に近接させることで、非接触ＩＣカード１００は磁界の変化を検出し、それに伴って、電子スイッチ１４０は接続先の切り替えをする。
【００３９】
まず、非接触ＩＣカード１００に内蔵された磁界センサ１４２が磁界の変化を検出する（ステップＳ１１）。次に、表示制御部１２０の条件判定部１２１が所定の条件を満たすか否かを判定する（ステップＳ１２、Ｓ１３）。所定の条件を満たす場合、例えばリーダライタ１０からの搬送波が検出されたときは、表示制御部１２０は電子スイッチ１４０をループアンテナ１４４に接続する（ステップＳ１６）。このとき、非接触ＩＣカード１００はリーダライタ１０からデータを受信することができる（ステップＳ１７）。そして、非接触ＩＣカード部１１０の記憶部１１２は、リーダライタ１０から受信したデータを記憶する。
【００４０】
一方、所定の条件を満たさない場合、例えばリーダライタ１０からのデータを搬送波が検出されないときは、表示制御部１２０は電子スイッチ１４０を表示制御部１２０に接続する（ステップＳ１４）。このとき、非接触ＩＣカード１００は非接触ＩＣカード部１１０から表示制御部１２０にデータを送ることができる（ステップＳ１５）。そして、表示制御部１２０の記憶部１２５は、非接触ＩＣカード部１１０から取得したデータを記憶する。
【００４１】
上記のように、搬送波の検出の有無によって、電子スイッチ１４０の切り替えが変わり、非接触ＩＣカード１００はリーダライタ１０からデータを受信したり、非接触ＩＣカード部１１０に記憶されたデータを表示制御部１２０に送ったりする。これにより、既存の非接触ＩＣカード部１１０を活用しながら、表示制御部１２０にデータを送り表示部１３０に情報を表示させることが可能となる。
【００４２】
次に、図４を参照して、表示制御部１２０に非接触ＩＣカード部１１０固有の識別情報（以下、ＩＣカードＩＤともいう。）を書き込む処理について説明する。図４は、表示制御部１２０に非接触ＩＣカード部１１０固有の識別情報（以下、ＩＣカードＩＤともいう。）を書き込む処理を示すフローチャートである。この処理は、例えば、非接触ＩＣカード１００製造時、出荷前に行っておくとよい。
【００４３】
まず、表示制御部１２０の記憶部１２５が初期状態であることを確認する（ステップＳ２１）。そして、表示制御部１２０は非接触ＩＣカード部１１０に対してポーリングコマンドを送信する（ステップＳ２２）。非接触ＩＣカード部１１０は、表示制御部１２０からのポーリングコマンドに対して、ＩＣカードＩＤを表示制御部１２０に送信する（ステップＳ２３）。その結果、表示制御部１２０はＩＣカードＩＤを取得することができ、取得したＩＣカードＩＤを記憶部１２５に書き込む（ステップＳ２４）。
【００４４】
上記の処理によって、表示制御部１２０はＩＣカードＩＤを照合用識別情報（照合用ＩＤ）として予め記憶しておく。これにより、表示制御部１２０が非接触ＩＣカード部１１０に対して要求処理をする際、記憶部１２５から照合用ＩＤとしてのＩＣカードＩＤを読み出せば、ポーリングコマンドを送信することなく、非接触ＩＣカード部１１０に対してＩＣカードＩＤを特定した要求処理を開始することができる。
【００４５】
次に、図５を参照して、表示制御部１２０が非接触ＩＣカード部１１０に対して行う要求処理について説明する。図５は、表示制御部１２０が非接触ＩＣカード部１１０に対して行う要求処理を示すフローチャートである。この処理は、例えば、表示制御部１２０が非接触ＩＣカード部１１０に対して、記憶部１１２に記憶されているデータの読み出しをするように、読み出し処理要求をしたり、表示制御部１２０が非接触ＩＣカード部１１０に対して、記憶部１１２にデータの書き込みをするように、書き込み処理要求したりする処理である。
【００４６】
まず、表示制御部１２０は、非接触ＩＣカード部１１０に対して処理要求を開始する（ステップＳ３１）。その際、表示制御部１２０には、図４を参照して説明した上述の初期設定処理が完了していれば、照合用ＩＤとしてＩＣカードＩＤが記憶部１２５に予め記憶されている。従って、表示制御部１２０は、記憶部１２５からＩＣカードＩＤを読み取る（ステップＳ３２）。
【００４７】
次に、表示制御部１２０は、ＩＣカードＩＤを指定してコマンドを送信する（ステップＳ３３）。これにより、表示制御部１２０は、非接触ＩＣカード部１１０に対して要求処理を行う。非接触ＩＣカード部１１０は、コマンドと共に受信したＩＣカードＩＤを確認する（ステップＳ３４）。表示制御部１２０から受けたＩＣカードＩＤは、事前に非接触ＩＣカード部１１０が表示制御部１２０に対して送信したＩＤであるため、自己の固有のＩＣカードＩＤと一致する。従って、非接触ＩＣカード部１１０は、必ず、表示制御部１２０に対して応答して（ステップＳ３５）、表示制御部１２０から受けたコマンドを実行することになる。
【００４８】
上記の通り、本実施形態では、表示制御部１２０が予め非接触ＩＣカード部１１０の固有のＩＣカードＩＤと同一の照合用ＩＤを有しており、その照合用ＩＤをコマンド共に非接触ＩＣカード部１１０に送ることができる。即ち、従来、非接触ＩＣカード部１１０に対して要求処理を行う場合、必ず、ポーリングコマンド処理が必要であったが、本実施形態によれば、表示制御部１２０が非接触ＩＣカード部１１０に要求処理をする際は、非接触ＩＣカード部１１０に対するポーリングコマンド処理が不要である。
【００４９】
これは、表示制御部１２０と非接触ＩＣカード部１１０は１枚の非接触ＩＣカード１００に内蔵されており、表示制御部１２０と非接触ＩＣカード部１１０とが常に１対１で対応しているため可能となる。即ち、表示制御部１２０がコマンドを送信する相手は、常に同じ非接触ＩＣカード部１１０であるため、ポーリングコマンド処理によって受ける非接触ＩＣカード部１１０固有のＩＣカードＩＤが常に同じだからである。そのため、上述したとおり、ポーリングコマンド処理を省略することができる。その結果、表示制御部１２０は、要求処理のたびに、毎回ポーリングコマンドを送信したり、ＩＣカードＩＤを受けたりする必要がなくなる。そのため、ポーリングコマンド処理に要した消費電流が不要となり、非接触ＩＣカード１００が消費する電力を低減することができる。
【００５０】
次に、図６を参照して、リーダライタ１０が非接触ＩＣカード部１１０に対して行う要求処理について説明する。図６は、リーダライタ１０が非接触ＩＣカード部１１０に対して行う要求処理を示すフローチャートである。この処理は、例えば、リーダライタ１０が非接触ＩＣカード部１１０に対して、記憶部１１２に記憶されているデータの読み出しをするように、読み出し処理要求をしたり、リーダライタ１０が非接触ＩＣカード部１１０に対して、記憶部１１２にデータの書き込みをするように、書き込み処理要求したりする処理である。
【００５１】
まず、リーダライタ１０は、非接触ＩＣカード部１１０に対して処理要求を開始する（ステップＳ４１）。この際、リーダライタ１０は、複数の非接触ＩＣカード１００を識別する必要があるため、ポーリングコマンド処理を実行する。即ち、リーダライタ１０は、非接触ＩＣカード部１１０にポーリングコマンドを送信する（ステップＳ４２）。非接触ＩＣカード部１１０は、リーダライタ１０からのポーリングコマンドに対して、ＩＣカードＩＤを表示制御部１２０に送信する（ステップＳ４３）。その結果、リーダライタ１０はＩＣカードＩＤを取得することができ、取得したＩＣカードＩＤを記憶部１２５に書き込む（ステップＳ４４）。
【００５２】
次に、リーダライタ１０は、ＩＣカードＩＤを指定してコマンドを送信する（ステップＳ４５）。これにより、リーダライタ１０は、非接触ＩＣカード部１１０に対して要求処理を行う。非接触ＩＣカード部１１０は、コマンドと共に受信したＩＣカードＩＤを確認しており、ＩＣカードＩＤが自己の固有のＩＣカードＩＤと一致するか否かを判断する（ステップＳ４６）。非接触ＩＣカード部１１０は、コマンドと共に受信したＩＣカードＩＤと自己の固有のＩＣカードＩＤとが一致する場合、リーダライタ１０に対して応答する（ステップＳ４７）。それにより、非接触ＩＣカード部１１０は、リーダライタ１０から受けたコマンドを実行することになる。一方、コマンドと共に受信したＩＣカードＩＤと自己の固有のＩＣカードＩＤとが一致しない場合は、非接触ＩＣカード部１１０は応答しない（ステップＳ４８）。
【００５３】
上記の通り、本実施形態の非接触ＩＣカード１００によれば、非接触ＩＣカード１００外部のリーダライタ１０は、非接触ＩＣカード部１１０に対してポーリングコマンド処理をしてから要求処理をする。一方、内蔵された表示制御部１２０はポーリングコマンド処理をしないで、非接触ＩＣカード部１１０に対して要求処理をすることができる。そのため、処理手順を減少させることができ、非接触ＩＣカード１００に内蔵された表示制御部１２０が消費する電力を低減することができる。
【００５４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５５】
【図１】本発明の一実施形態に係る非接触ＩＣカードを示すブロック図である。
【図２】同実施形態に係る非接触ＩＣカードの表示制御部を示すブロック図である。
【図３】電子スイッチの切り替えを示すフローチャートである。
【図４】表示制御部にＩＣカードＩＤを書き込む処理を示すフローチャートである。
【図５】表示制御部が非接触ＩＣカード部に対して行う要求処理を示すフローチャートである。
【図６】リーダライタが非接触ＩＣカード部に対して行う要求処理を示すフローチャートである。
【符号の説明】
【００５６】
１００      非接触ＩＣカード
１０２      電源供給部
１１０      非接触ＩＣカード部
１１２      記憶部
１２０      表示制御部
１２１      条件判定部
１２２      電子スイッチ制御部
１２３      表示データ送受信部
１２４      記憶制御部
１２５      記憶部
１３０      表示部
１４０      電子スイッチ
１４２      磁界センサ
１４４      ループアンテナ
【図１】
2009187495.tif 000003
【図２】
2009187495.tif 000004
【図３】
2009187495.tif 000005
【図４】
2009187495.tif 000006
【図５】
2009187495.tif 000007
【図６】
2009187495.tif 000008